(57)【特許請求の範囲】
【請求項１】
建物開口部の内側に、取付枠を介して、四周を枠組みされた横引きのスクリーン装置を取り付けるための取付構造であって、
該スクリーン装置が、枠組みにおける上枠の背面に、該上枠の長手方向に沿って、取付ボルトの頭部を摺動自在に係合させるボルト係合溝を備え、
該スクリーン装置の上枠を上記取付枠の上板に対して固定するための固定金具が、金属板を折曲して取付枠の上板への当接面とスクリーン装置の上枠背面に当接する垂下面とを形成すると共に、該垂下面に、上記スクリーン装置の上枠におけるボルト係合溝から突出する取付ボルトの挿通孔を先端に開設したアームを枢着することにより構成され、
上記取付枠の上板の下面に固定金具の当接面を取り付け、上記建物開口部における上記取付枠の下板上に載置したスクリーン装置が、その下板上の設置位置に位置決めされた状態において、上記固定金具におけるアーム先端の挿通孔を、該アームの枢着部分での回転により上枠のボルト係合溝から突出する取付ボルトの位置に移動させて嵌め合わせ、該取付ボルトにナットを螺挿してアーム先端を固定することにより、上記スクリーン装置を取付枠に固定可能にしている、
ことを特徴とするスクリーン装置の取付構造。
【請求項２】
固定金具の当接面を取付枠にビス固定するために該当接面に穿設するビス孔の軸線位置を、上記垂下面に穿設するボルト孔の軸線に対して水平方向にずらして穿設している、
ことを特徴とする請求項１に記載のスクリーン装置の取付構造。
【請求項３】
上記取付枠の下板上の設置位置への上記スクリーン装置の位置決めを、上記取付枠の下板と該下板上に載置したスクリーン装置の下枠との下部用位置決め金具による固定、及び上記取付枠の一対の側板に取り付けたアングルに対する両面接着テープによるスクリーン装置側枠の接着によって行っている、
ことを特徴とする請求項１または２に記載のスクリーン装置の取付構造。
【請求項４】
建物開口部における取付枠の上板に、スクリーン装置の上枠の複数位置に取り付けるための複数のアームを備えた固定金具を、上記当接面が、上記複数位置にそれぞれアームを取り付けるに必要な長さを有するものとして、上記垂下面に該アームの複数を枢着することにより構成している、
ことを特徴とする請求項１〜３のいずれかに記載のスクリーン装置の取付構造。
【発明の詳細な説明】
【技術分野】
【０００１】
本発明は、建物開口部に対し、取付枠（額縁）を介して、予め枠組みされた横引きのスクリーン装置を取り付ける場合に適したスクリーン装置の取付構造に関するものである。
【背景技術】
【０００２】
従来から、建物開口部に横引きのスクリーン装置を取り付ける場合に、図１に示すように、該建物開口部に対して取付枠（額縁）１０を組み付け、該取付枠内に予め四周を枠組みされたスクリーン装置１を取り付けるようにした取付構造が、簡単な固定金具を用いて容易にスクリーン装置１を安定的に固定でき、しかも、その後のスクリーン装置の取り外し等を伴うメンテナンスも容易であることから、一般的に利用されている。
【０００３】
本発明においても、基本的には、図１の一部従来品と共通する取付構造を利用するが、従来から使用されている取付構造の問題点、つまり、建物開口部に対して組み付ける取付枠１０の寸法的な収まりや、スクリーン装置１の固定に用いる固定金具２５の構造に起因して、以下に詳述するように、必ずしもスクリーン装置を容易に、且つ安定的に固定できるとは限らないなどの問題点を、施工条件の如何に拘わらず、根本的に改善するものである。
【０００４】
図９〜図１１の各（ａ）（ｂ）を参照して、スクリーン装置の従来の取付構造の問題点について説明するに、まず、図９は、建物開口部に対するスクリーン装置１の取り付けに際し、該建物開口部に組み付けた取付枠１０の高さ方向の内面間寸法が標準寸法よりｄミリメートルだけ大きくなった場合の取り付け状態を示し、図１０は、同寸法が標準寸法であった場合を、図１１は同寸法が標準寸法よりｄミリメートルだけ小さくなった場合を示している。上記各図の（ａ）はスクリーン装置１の上枠２を取付枠１０の上板１１に取り付けた状態を示す要部正面図であり、（ｂ）はその側断面図である。
【０００５】
これらの図におけるスクリーン装置１は、図示を省略している巻取軸に巻き付けたロール形のスクリーン７を横引きで張設可能にする既知の構成を備えたもので、その上枠２は該スクリーン７の上端に沿って取り付けた多数の係合子７ａを、該上枠２内に挿通したインナーレール８の下面側に開設しているスリット９ａを通して、該インナーレール８内に設けた係合溝９に係止させている。このスクリーン７は、該上枠２に摺動自在に吊下した開閉操作用の可動桟６に一側端が取り付けられ、該可動桟６を上枠２の長手方向に沿って移動させることにより、スクリーン７の展張及び巻取りが可能なものである。
【０００６】
また、上記スクリーン装置１の上枠２は、それを後述する固定金具２５により上記取付枠１０の上板１１に取り付けるため、該上枠２の背面には、該上枠の長手方向に沿って、取付ボルト２２の頭部２２ａを摺動自在に係合させるボルト係合溝２０を設けている。該ボルト係合溝２０に頭部２２ａを係合させた取付ボルト２２は、それを取付枠１０の上板１１にネジ２４で固定した固定金具２５における縦長の取付孔２５ａに挿通して、ナット２３で締め付け固定することにより、このスクリーン装置１を上記取付枠１０の上板１１に固定するためのものである。
【０００７】
そして、スクリーン装置１の取り付けに際し、該建物開口部に組み付けた取付枠１０の高さ方向の内面間寸法の施工許容が標準寸法に対して±ｄミリメートルであるとすれば、図９〜図１１から分かるように、上記固定金具２５における縦長の取付孔２５ａは、±ｄミリメートルの範囲で取付ボルト２２に対するナット２３の締め付け固定位置を調整可能にしておく必要がある。
なお、上述したように取付枠１０に施工許容が存在する場合、取付枠１０とスクリーン装置の上枠２との間に隙間が生じることになるので、それは封隙材２６によって封止される。
【０００８】
上述した取付構造によってスクリーン装置１を取付枠１０に固定する場合、該取付枠１０の内法寸法は、建物開口部の内法寸法によって左右され、そこに設置するスクリーン装置１としては、取付枠１０の内側に収まるサイズのもので、一般的にはできるだけ大きいものが選択される。そして、上記スクリーン装置１の取付枠１０内への固定は、まず、該取付枠１０内においてスクリーン装置１の下枠５を取付枠１０の下板１３上に載置すると同時に、取付枠１０内における該スクリーン装置１の左右方向の側枠３，４の位置決めを行い、例えば、図１に示すように、取付枠１０における左右側板１２に取り付けたアングル１４に対してスクリーン装置１の側枠３，４をそれぞれ両面接着テープ１２ａ等により接着し、スクリーン装置１をその位置から移動しないように一時的に保持させる。
【０００９】
取付枠１０に対するスクリーン装置１の最終的な固定は、少なくとも、スクリーン装置１の下枠５がずれ動くのを抑止する固定と、該スクリーン装置１の上枠２を取付枠１０における上板１１に確実に固定し、結果的に、スクリーン装置１の固定を安定的化することにより行われる。特に、スクリーン装置１の上枠２の取付枠１０に対する固定は、何らかの不具合があってその固定が確実に行われない状態になったときには、スクリーン装置１自体がその自重等で前後に傾倒するという問題が発生する可能性があるため、安全性の観点から極めて重要である。
【００１０】
そして、最も重要な点は上記固定金具２５の構成にあり、特にその構成の中でも問題視すべきは、固定金具２５における縦長の取付孔２５ａを、建物開口部に組み付けた取付枠１０の高さ方向の内面間寸法の施工許容に応じて長くすると、固定金具２５の利用範囲が大きくなる点では至便であるにしても、上記内面間寸法が標準寸法に対して短くなった場合には、図１１の（ａ）及び（ｂ）に示すように固定金具の下端がスクリーン装置１の上枠２よりも下方まで突出することになって、室内側からの見栄えが悪くなるだけでなく、可動桟６によりスクリーン７の開閉を行う際に上枠２に沿う位置まで手を出していると、その手を痛める可能性がある。
【００１１】
かかる観点からすれば、上記固定金具２５の縦長の取付孔２５ａにより、取付枠１０の高さ方向の内面間寸法の施工許容に対する対応を考慮することは、安全性その他の面から必ずしも望ましいとは言えず、取付枠１０の施工許容に対して十分に対応させながら、外観的にも見苦しいところがない固定金具が望まれている。
【発明の概要】
【発明が解決しようとする課題】
【００１２】
本発明の技術的課題は、建物開口部に対し、取付枠（額縁）を介して、予め枠組みされた横引きのスクリーン装置を取り付ける場合に用いるのに適し、取付枠の施工許容に対して十分に対応させながら、外観的にも見苦しいところがなく、しかも、施工が容易で安全性においてもすぐれた取付状態が得られるスクリーン装置の取付構造を提供することにある。
【課題を解決するための手段】
【００１３】
上記課題を解決するため、本発明によれば、建物開口部の内側に、取付枠を介して、四周を枠組みされた横引きのスクリーン装置を取り付けるための取付構造であって、該スクリーン装置が、枠組みにおける上枠の背面に、該上枠の長手方向に沿って、取付ボルトの頭部を摺動自在に係合させるボルト係合溝を備え、該スクリーン装置の上枠を上記取付枠の上板に対して固定するための固定金具が、金属板を折曲して取付枠の上板への当接面とスクリーン装置の上枠背面に当接する垂下面とを形成すると共に、該垂下面に、上記スクリーン装置の上枠におけるボルト係合溝から突出する取付ボルトの挿通孔を先端に開設したアームを枢着することにより構成され、上記取付枠の上板の下面に固定金具の当接面を取り付け、上記建物開口部における上記取付枠の下板上に載置したスクリーン装置が、その下板上の設置位置に位置決めされた状態において、上記固定金具におけるアーム先端の挿通を、該アームの枢着部分での回転により上枠のボルト係合溝から突出する取付ボルトの位置に移動させて嵌め合わせ、該取付ボルトにナットを螺挿してアーム先端を固定することにより、上記スクリーン装置を取付枠に固定可能にしていることを特徴とするスクリーン装置の取付構造が提供される。
【００１４】
本発明に係るスクリーン装置の取付構造の好ましい実施形態においては、固定金具の当接面を取付枠にビス固定するために該当接面に穿設するビス孔の軸線位置を、上記垂下面に穿設するボルト孔の軸線に対して水平方向にずらして穿設したものとして構成される。
また、本発明に係るスクリーン装置の取付構造の他の好ましい実施形態においては、上記取付枠の下板上の設置位置への上記スクリーン装置の位置決めを、上記取付枠の下板と該下板上に載置したスクリーン装置の下枠との下部用位置決め金具による固定、及び上記取付枠の一対の側板に取り付けたアングルに対する両面接着テープによるスクリーン装置側枠の接着によって行われる。
【００１５】
本発明に係るスクリーン装置の取付構造の更に他の好ましい実施形態においては、建物開口部における取付枠の上板に、スクリーン装置の上枠の複数位置に取り付けるための複数のアームを備えた固定金具を、上記当接面が、上記複数位置にそれぞれアームを取り付けるに必要な長さを有するものとして、上記垂下面に該アームの複数を枢着することにより構成される。
【発明の効果】
【００１６】
以上に詳述した本発明のスクリーン装置の取付構造によれば、建物開口部に対し、取付枠（額縁）を介して、予め枠組みされた横引きのスクリーン装置を取り付ける場合に用いるのに適し、取付枠の施工許容に対して十分に対応させながら、外観的にも見苦しいところがなく、しかも、施工が容易で安全性においてもすぐれた取付状態が得られるスクリーン装置の取付構造を提供することができる。
特に上記スクリーン装置の取付構造は、スクリーン装置の上部を固定する固定金具が、該スクリーン装置の重量を支持する必要がなく、該スクリーン装置を支持する取付枠の施工許容に対する対応構造がコンパクトで大きな対応範囲を有しながら、スクリーン装置の前後方向への傾倒に対する支持を安定的に行う点で非常に有効なものである。
【図面の簡単な説明】
【００１７】
【図１】本発明に係る建物開口部へのスクリーン装置の取付構造の基本形態を説明するための分解斜視図である。
【図２】本発明に係るスクリーン装置の取付構造の第１実施例について、取付枠（額縁）が標準施工の場合より上下方向にｄミリメートルだけ大きくなった場合の使用態様をを示し、（ａ）はスクリーン装置の上枠を取付枠の上板に取り付けた態様を示す要部正面図、（ｂ）はその側断面図である。
【図３】同第１実施例について、取付枠が標準施工された場合の取り付け態様を示し、（ａ）及び（ｂ）はそれぞれ図２の（ａ）及び（ｂ）に対応する要部正面図及び側断面図である。
【図４】同第１実施例について、取付枠が上下方向にｄミリメートルだけ小さくなった場合の取り付け態様を示し、（ａ）及び（ｂ）はそれぞれ図２の（ａ）及び（ｂ）に対応する要部正面図及び側断面図である。
【図５】上記第１実施例で用いている固定金具の下面図である。
【図６】上記第１実施例において用いている下部用位置決め金具の構成を示すもので、（ａ）は平面図、（ｂ）は正面図、（ｃ）は側面図である。
【図７】本発明に係るスクリーン装置の取付構造の第２実施例についての要部斜視図である。
【図８】同第２実施例について、取付枠（額縁）が標準施工された場合の取り付け態様を示し、（ａ）はスクリーン装置の上枠を取付枠の上板に取り付けた態様を示す要部正面図、（ｂ）はその側断面図である。
【図９】建物開口部に対するスクリーン装置の既知の取付構造で、取付枠が標準施工よりも上下方向にｄミリメートルだけ大きくなった場合の取り付け態様を示し、（ａ）はスクリーン装置の上枠を取付枠の上板に取り付ける態様を示す要部正面図、（ｂ）はその側断面図である。
【図１０】同取付構造で、取付枠が標準施工された場合の取り付け態様を示し、（ａ）はスクリーン装置の上枠を取付枠の上板に取り付けた状態の要部正面図、（ｂ）はその側断面図である。
【図１１】同取付構造で、取付枠がｄミリメートルだけ小さくなった場合の取り付け態様を示し、（ａ）はスクリーン装置の上枠を取付枠の上板に取り付けた状態の要部正面図、（ｂ）はその側断面図である。
【発明を実施するための形態】
【００１８】
図１は、本発明に係る建物開口部へのスクリーン装置の取付構造の基本形態を説明するためのもので、前記従来技術と同様に、建物開口部に横引きのスクリーン装置１を取り付けるに際して、該建物開口部の内側に対して取付枠（額縁）１０を組み付けて、該取付枠１０内に、予め四周を枠組みされたスクリーン装置１を取り付けるようにした取付構造が採用される。
なお、以下においては、本発明の実施例の各構成要素について、先に説明した従来技術における構成要素と共通或いは対応するものについては、それぞれ、従来技術の説明において用いた符号と同一の符号を付して説明することとする。
【００１９】
上記スクリーン装置１は、上部に架設される上枠２と、一方の側枠３を構成し、ロール形のスクリーン７を巻き付けた巻取軸を回転可能に収容する巻取りボックスと、他方の側枠４を構成し、上記スクリーン７がその先端に取り付けた可動桟６の操作により巻き戻されたときに該可動桟６を受ける受け枠と、上記一対の側枠３，４の下端間に架設される下枠５とにより、四周が枠組みされたものである。
【００２０】
そして、図２〜図４の各（ｂ）に示すように、上記上枠２内には、スクリーン７の上端に沿って取り付けられた多数の係合子７ａを摺動自在に保持して、該スクリーン７を上枠の長手方向に摺動させるインナーレール８が収容されている。該インナーレール８は、その内部に設けた係合溝９をスリット９ａにより下面側に開口させ、該スリット９ａを通してインナーレール８内に係合子７ａを摺動自在に係合させている。なお、図示していないが、下枠５内においても同様なインナーレールを設けてスクリーン７の下端部に沿って取り付けた係合子を摺動自在に保持させることもできる。
【００２１】
上記可動桟６は上枠２に摺動自在に吊下され、上記スクリーン７はその巻取軸からの導出側先端を可動桟６に取り付けているので、該可動桟６を横引きで上枠２の長手方向に沿って移動させることにより、スクリーン７を展張或いは巻取りすることが可能であり、また、巻取軸内に巻取り用スプリングを収容することにより、スクリーン７を自動で巻取り可能に構成することもできる。
【００２２】
上記スクリーン装置１の上枠２は、図１並びに図２〜図４の各（ａ）及び（ｂ）に示すような固定金具２８により上記取付枠１０の上板１１に取り付けるため、上記スクリーン装置１における上枠２の背面には、該上枠２の長手方向に沿って、取付ボルト２２の頭部２２ａを摺動自在に係合させるための口部を狭窄化したボルト係合溝２０を設けている。該ボルト係合溝２０に頭部を係合させた取付ボルト２２は、取付枠１０の上板１１の下面にネジ２４で固定した固定金具２８とを、以下に詳述するようにして連結し、それにより、上記取付枠１０の上板１１に対してスクリーン装置１の上枠２を固定するものである。
【００２３】
該スクリーン装置１を上記取付枠１０の上板１１に固定する固定金具２８は、金属板をＬ形に折曲して、取付枠１０の上板１１への当接面３０とスクリーン装置１の上枠２の背面に当接する垂下面３１とを形成すると共に、前記スクリーン装置１の上枠２におけるボルト係合溝２０から突出する取付ボルト２２を挿通させる挿通孔３４を先端に開設したアーム３３を、上記垂下面３１に枢着することにより構成したものである。この枢着部分３２においては、垂下面３１とアーム３３とを鳩目やリベット状の金具により回転可能に連結するのが望ましい。
【００２４】
建物開口部に対して取付枠１０を介してスクリーン装置１を取り付けるに際しては、上記固定金具２８による取付枠１０へのスクリーン装置の上枠２の固定に先立ち、予め、図６の（ａ）〜（ｃ）に示すような下部用の位置決め金具４０を用いて、図１から分かるように、上記取付枠１０の下板１３と該下板上に載置したスクリーン装置１の下枠５との位置決めをすると共に、上記取付枠１０の一対の側板１２に取り付けたアングル１４に対する両面接着テープ１５によるスクリーン装置の側枠３，４の接着によって、その位置決めを行うことが望まれる。
【００２５】
上記下部用の位置決め金具４０は、金属板をＬ形に折曲して、取付枠１０の下板１３への当接面４１とスクリーン装置１の下枠５の背面に当接する立設面４２とを形成したもので、上記立設面４２には、前記スクリーン装置１の下枠５側から適宜突出させた取付ボルト４３を挿通させてナット４４で固定するための挿通孔４５を中央部に開設しているが、上記当接面４１には、上記ナット４４の存在がネジ４７による固定の作業の障害になるのを避けるために、上記取付ボルト４３の中心軸線からずれた位置にネジ孔４６を開設している。
【００２６】
この下部用の位置決め金具４０によるスクリーン装置１の下部の固定は、前記固定金具２８によるスクリーン装置１の上枠２の取付枠１０に対する固定に比べると、スクリーン装置１自体がその重量で下板１３上に常に密接して浮上することがないばかりでなく、該スクリーン装置１の重量が下板１３上に作用するので、上記位置決め金具４０自体の構成を非常に簡単なものとすることができる。
【００２７】
また、このスクリーン装置１の下枠及び側枠の取付枠１０に対する上記取り付けは、それらがスクリーン装置の設置後に格別大きな力を受ける部位ではなく、例えば、スクリーン装置をバリアフリー化するために該スクリーン装置１の下枠５が薄板で形成されているような場合には、スクリーン装置１の左右の側枠３，４の各下端を取付枠１０の下板１３に確実に固定することにより、上記位置決め金具４０の使用に代えることができるものである。
【００２８】
上述した取付枠１０に対するスクリーン装置１の下部の位置決めを行った後に、上記下板１３上に載置したスクリーン装置１の上枠２を固定金具２８により固定することになるが、その固定は、上記スクリーン装置１の下枠５が、下板１３上の設置位置に位置決めされた状態において、上記固定金具２８を、その垂下面３１に取り付けたアーム３３の先端の挿通孔３４が、前記取付ボルト２２の基部まで嵌め合わせ得るような位置的関係にあるようにして、その当接面３０を上記取付枠１０の上板１１の下面にネジ２４で固定し、そのうえで、固定金具２８におけるアーム３３の枢着部分３２での回転、及び上枠２のボルト係合溝２０内における取付ボルト２２の位置調整により、アーム３３の先端の挿通孔３４を該取付ボルト２２の位置に移動させて嵌め合わせ、該取付ボルト２２にナット３５を螺挿することにより、上記スクリーン装置１を取付枠１０に固定するようにしている。
【００２９】
このように構成すれば、スクリーン装置１の取り付けに際し、建物開口部に組み付けた取付枠１０の高さ方向の内面間寸法の施工許容を、上記アーム３３の回転による該アーム先端の挿通孔３４の上下移動範囲に拡げることができ、図９〜図１１を参照して前述したような従来の固定金具２５における縦長の取付孔２５ａに比して、取付枠１０の施工許容に対して十分に対応させながら、外観的にも見苦しいところがなく、しかも、施工が容易で安全性においてもすぐれた取付状態を得ることができる。
【００３０】
特に、上記スクリーン装置１の取付構造は、スクリーン装置１の上部を固定する固定金具２８が、該スクリーン装置１の重量を支持する必要がなく、そのため、垂下面３１に枢着部分３２を介してアーム３３を連結することにより、該スクリーン装置１を支持する取付枠１０の施工許容に対する対応構造がコンパクトで大きな対応範囲を有するものとして構成でき、それにより、スクリーン装置１の前後方向への傾倒に対する支持も安定的に行える点で、非常に有効なものである。
【００３１】
また、上記スクリーン装置１の固定金具２８においては、先に図６等を参照して説明した位置決め金具４０と同様であるが、図５に明瞭に示すように、当接面３０におけるネジ孔３６の位置をずらしている。即ち、固定金具２８の当接面３０を取付枠１０にビス固定するために該当接面３０に穿設するビス孔３６の軸線位置を、上記垂下面３１におけるアーム３３の枢着部分３２に対しボルト係合溝２０の長手方向にずらして穿設している。これは、スクリーン装置１の上枠２の背面における該上枠２の固定に用いるナット３５として、飾り付きナットを用いることを配慮するものである。
【００３２】
図７及び図８は、本発明に係るスクリーン装置の取付構造についての第２実施例の要部を示している。この第２実施例において用いている固定金具２９は、前述の第１実施例における固定金具２８を、建物開口部の間口が広い場合に適するようにしたもので、該建物開口部における取付枠１０の上板１１に装着できる、第１実施例の当接面３０及び垂下面３１に対応する長尺の部材を備え、スクリーン装置１の上枠２の複数位置に取り付けるための複数のアーム３３を備えるものとして構成している。
【００３３】
図８に示す第２実施例の固定金具２９は、取付枠１０が標準施工された場合の取り付け態様を示し、その垂下面３１の複数位置にそれぞれアーム３３を取り付けるに必要な長さを有するものとして、上記垂下面３１に該アーム３３の複数を枢着することにより構成している。アーム３３の数に応じて、ボルト係合溝２０に所要数の取付ボルト２２を係合させる必要があるのは勿論である。また、上記当接面３０及び垂下面３１を取付枠１０の上枠２と同程度に長くすれば、スクリーン装置１の上枠２と取付枠１０との間に隙間が生じる場合に用いる封隙材２６を省略することが可能になる。
【００３４】
なお、この固定金具２９は、上記当接面３０及び垂下面３１が長くなっている点、並びにアーム３３の複数が垂下面３１に枢着されている点を除いて、図３の場合と変わるところがないので、図３における各部と同一または対応する部分に同一の符号を付して、それらの説明は省略する。
【符号の説明】
【００３５】
１      スクリーン装置
２      上枠
５      下枠
１０      取付枠
１１      上板
２０      ボルト係合溝
２２      取付ボルト
２２ａ    頭部
２８      固定金具
３０      当接面
３１      垂下面
３２      枢着部分
３３      アーム
３４      挿通孔
３５      ナット
【図１】
0006437393.tif 000002
【図２】
0006437393.tif 000003
【図３】
0006437393.tif 000004
【図４】
0006437393.tif 000005
【図５】
0006437393.tif 000006
【図６】
0006437393.tif 000007
【図７】
0006437393.tif 000008
【図８】
0006437393.tif 000009
【図９】
0006437393.tif 000010
【図１０】
0006437393.tif 000011
【図１１】
0006437393.tif 000012